(57)【要約】      （修正有）【課題】溶接ピンと回路基板との接触面積が増大し、電気的性能の安定性が確保されるプローブコネクタを提供する。【解決手段】プローブコネクタは絶縁本体１０と複数のプローブ２０からなる。絶縁本体は環状基体１１と基体の周縁から上方に突伸して形成された複数の固定台座１３を有する。プローブは絶縁本体上に一体成型され、それぞれプローブヘッド２１、弾性部材、金属スリーブ２３、及びベース２４を有する。金属スリーブは上下に貫通した収納筒と、収納筒の周縁下部の一側から外方に延伸して形成された溶接ピンとを有する。溶接ピンはアーチプレート状に設けられ、プローブヘッドは上下にスライド可能に金属スリーブ内に装設され、弾性部材はプローブヘッドとベースの間に弾性的に配置される。溶接ピンは固定台座の外に伸出し、回路基板上に大面積で溶接可能なことから、電気的安定性が確保できる。【選択図】図３
0003196772.tif 000002
【実用新案登録請求の範囲】
【請求項１】
環状基体と、基体周縁から上方に突伸して形成され間隔を空けて設けられた複数の固定台座とを有する絶縁本体と、
絶縁本体に一体成型される複数のプローブとを含み、
ここでは、前記プローブはそれぞれプローブヘッド、弾性部材、金属スリーブ、及びベースを有し、前記金属スリーブは上下に貫通した収納筒と収納筒の周縁下部の一側から外方に延伸して形成された溶接ピンとを有し、前記溶接ピンはアーチプレート状に設けられ、前記プローブヘッドは上下にスライドして金属スリーブ内に装設され、前記弾性部材が弾性的にプローブヘッドと金属スリーブ内に収納され、前記ベースは金属スリーブ底部に固設され、弾性部材を弾性的にプローブヘッドとベースの間に位置を限定し、前記溶接ピンは絶縁本体の固定台座の外に伸出することを特徴とするプローブコネクタ。
【請求項２】
前記固定台座は円筒状で等間隔を空けて設けられることを特徴とする請求項１に記載のプローブコネクタ。
【請求項３】
前記絶縁本体は基体の周縁底部から内方に突伸して形成された環状の第１支持部を有し、前記固定台座の底部は第１支持部の上表面に連接されることを特徴とする請求項１に記載のプローブコネクタ。
【請求項４】
前記固定台座は底部の外方且つ下方にジャックが貫通して開設された基盤部を有し、前記金属スリーブの溶接ピンはジャックから絶縁本体の固定台座の外に伸出することを特徴とする請求項１に記載のプローブコネクタ。
【請求項５】
前記固定台座は基盤部の外周縁下部を囲んで設けた半円形で開口が外向きの当接部を有し、前記固定台座の当接部の２つの自由端は伸出して基体の周縁の外部に連接され、前記固定台座の当接部の２つの自由端の下部は、間隔を空けて設けられた２つの対向部に対向する様に突伸して形成され、前記固定台座の対向部は基体の周縁の外部に連接され、前記２つの対向部の間に第１溝部を形成することを特徴とする請求項４に記載のプローブコネクタ。
【請求項６】
前記基盤部の外周縁は外方に間隔を空けて設けられた複数のリブを突設し、前記基盤部の外周縁先端のリブと該固定台座の外に伸出した溶接ピンとが対応することを特徴とする請求項４に記載のプローブコネクタ。
【請求項７】
前記プローブヘッド下端の中央部に下方に収納溝を貫通して開設し、前記弾性部材はプローブヘッドの収納溝と金属スリーブの収納筒内に弾性的に収納されることを特徴とする請求項１に記載のプローブコネクタ。
【請求項８】
前記弾性部材の上端は収納溝の頂壁に当接し、前記ベースは底板と、底板の上表面の中央部から上方に突伸して形成された固定ピンとを有し、前記弾性部材は固定ピンに嵌設され、弾性部材の下端は底板の上表面に当接し、弾性部材を底板の上表面とプローブヘッドの収納溝の頂壁の間に弾性的に位置を限定することを特徴とする請求項７に記載のプローブコネクタ。
【請求項９】
前記プローブヘッドは円柱形の接触部を有し、前記接触部の下端中央部に下方に前記収納溝を貫通して開設し、前記収納溝の頂壁は倒立円錐形に設けられることを特徴とする請求項７に記載のプローブコネクタ。
【請求項１０】
前記プローブヘッドは接触部の周縁の底部から外方に突伸した環状のスライド部を有し、前記金属スリーブは収納筒の周縁上部から内方に突伸して形成された環状のストッパー部を有し、前記プローブヘッドのスライド部の頂面を第１持ち上げ面と定義し、前記ストッパー部の底面を第２持ち上げ面と定義し、前記第１持ち上げ面と第２持ち上げ面は適合することを特徴とする請求項９に記載のプローブコネクタ。
【考案の詳細な説明】
【技術分野】
【０００１】
本考案は、プローブコネクタに関する。
【背景技術】
【０００２】
消費者の電子製品の外観や性能へのニーズが絶えず高まっているのにつれて、プローブコネクタは次第にコネクタ市場の主流となりつつある。目下、プローブ式コネクタは携帯電話、軍事工業用通信、航空宇宙エレクトロニクス、医療器材、ポータブルな大衆消費電子製品等といった分野で幅広く使用されている。
【０００３】
公知のプローブコネクタは絶縁本体と複数のプローブからなる。前記絶縁本体はほぼ長方形である。前記絶縁本体は前方に間隔を空けて設けられた複数のブラインドホールを貫通して開設される。前記プローブはそれぞれ金属スリーブ、弾性部材、及びプローブヘッドからなる。前記金属スリーブは上下に貫通した収納筒を有し、前記収納筒の下端は湾曲した溶接ピンを延伸する。前記プローブヘッドは金属スリーブ内にスライドして収納され、プローブヘッドの上端は金属スリーブ外に伸出する。前記弾性部材は金属スリーブ内に収納される。プローブが絶縁本体に組立てられる際、前記金属スリーブは対応するブラインドホール内に收納される。前記プローブヘッドはブラインドホール外に伸出する。前記弾性部材はプローブヘッドと絶縁本体の間に弾性的に当接する。前記溶接ピンは絶縁本体の外に伸出して回路基板上に溶接される。
【考案の概要】
【考案が解決しようとする課題】
【０００４】
然しながら、前述した従来のプローブコネクタでは、プローブコネクタ上に安定して設けられることが難しく、かつ前記プローブコネクタは湾曲した溶接ピンを有し、溶接ピンと回路基板の接触面積が減少して、プローブコネクタが回路基板上に安定して溶接されるのが難しいため、プローブコネクタの電気的性能の安定性に影響する。
【０００５】
そこで、本考案者は上記の欠点が改善可能と考え、鋭意検討を重ねた結果、合理的かつ効果的に課題を改善する本考案のプローブコネクタの提案に至った。
【０００６】
本考案は、このような従来の問題に鑑みてなされたものである。上記課題を解決するため、本考案は、プローブコネクタを提供することを主目的とする。
【課題を解決するための手段】
【０００７】
上記の課題を解決し、上記目的を達成するための本考案に係るプローブコネクタは、
環状基体と、基体周縁から上方に突伸して形成され間隔を空けて設けられた複数の固定台座とを有する絶縁本体と、絶縁本体に一体成型された複数のプローブとを含み、
前記プローブは、それぞれプローブヘッド、弾性部材、金属スリーブ、及びベースを有し、前記金属スリーブは上下に貫通した収納筒と、収納筒の周縁下部の一側から外方に延伸して形成された溶接ピンとを有し、前記溶接ピンはアーチプレート状に設けられ、前記プローブヘッドは上下にスライド可能に金属スリーブ内に装設され、前記弾性部材は弾性的にプローブヘッドと金属スリーブ内に収納され、前記ベースは金属スリーブ底部に固設され、弾性部材をプローブヘッドとベースの間で弾性的に位置を限定し、前記溶接ピンは絶縁本体の固定台座の外に伸出することを特徴とする。
【考案の効果】
【０００８】
結論として、本考案のプローブコネクタは前記プローブが絶縁本体上に一体成型されて、プローブをプローブコネクタ上に安定的に設けると共に、前記プローブの溶接ピンは前記絶縁本体の固定台座の外に伸出し、前記プローブの溶接ピンをアーチプレート状に設けることで、溶接ピンと回路基板との接触面積が増大して、本考案のプローブコネクタは該回路基板上に安定して溶接することができ、本考案のプローブコネクタの電気的性能の安定性が確保される。
【図面の簡単な説明】
【０００９】
【図１】本考案に係るプローブコネクタを説明する外観斜視図である。である。
【図２】図１に示すプローブコネクタを他の角度から見た外観斜視図である。である。
【図３】図１に示すプローブコネクタを示す展開図である。である。
【図４】図３に示すプローブコネクタの絶縁本体を示す外観斜視図である。である。
【図５】図３に示すプローブコネクタのプローブを示す断面図である。
【図６】図１に示すプローブコネクタ及び逆流キャップを示す構成図である。である。
【図７】図６に示す逆流キャップを示す傾斜図である。である。
【考案を実施するための形態】
【００１０】
以下に図面を参照して、本考案を実施するための形態について、詳細に説明する。なお、本考案は、以下に説明する実施形態に限定されるものではない。
【００１１】
＜第１実施形態＞
以下、本考案の実施形態について、図面を参照しながら説明する。なお、本考案の第１実施形態の構成を図１から図７に示す。本考案のプローブコネクタ１００は回路基板上に溶接され（図示せず）、環状の絶縁本体１０と複数のプローブ２０（図１及び図２参照）からなる。
【００１２】
図１から図４によると、前記絶縁本体１０は環状基体１１、基体１１の周縁底部から内方に突伸して形成された環状の第１支持部１２、及び基体１１の周縁から上方に突伸して形成され間隔を空けて設けられた複数の固定台座１３を有する。前記固定台座１３は円筒状で等間隔に設けられる。前記固定台座１３の底部は第１支持部１２の上表面に連接される。前記固定台座１３の外側は基体１１の周縁外に伸出する。本実施例では、前記絶縁本体１０は６つの固定台座１３を有する。
【００１３】
なお、前記固定台座１３は円筒状で上方に貫通した基盤部１３１と、基盤部１３１の外周縁下部を囲んで設けた半円状で開口が外向きの当接部１３２を有する。前記基盤部１３１の底部は外方且つ下方にジャック１３３を貫通して開設する。前記基盤部１３１の外周縁の外方に間隔を空けて設けられた複数のリブ１３４を突設する。前記固定台座１３の当接部１３２における２つの自由端は伸出して基体１１の周縁外部に連接する。前記固定台座１３の当接部１３２における２つの自由端の下部は、突伸して形成され間隔を空けて設けられた２つの対向部１３５に対向する。前記固定台座１３の対向部１３５と基体１１の周縁外部は連接され、該固定台座１３のジャック１３３外側の下方に位置する。前記２つの対向部１３５の間に第１溝部１３６を形成して、絶縁本体１０上に成型されたプローブ２０の安定性（図１から図４参照）を強化する。
【００１４】
この好ましい実施態様において、前記プローブコネクタ１００は６つのプローブ２０からなる。前記プローブ２０はそれぞれプローブヘッド２１、弾性部材２２、金属スリーブ２３、及びベース２４を有する。前記プローブヘッド２１は円柱形の接触部２１１と、接触部２１１周縁の底部から外方に突伸した環状のスライド部２１２を有する。前記接触部２１１の頂部は半球形である。前記プローブヘッド２１の下端中央部に下方に収納溝２１３を貫通して開設する。前記接触部２１１の下端中央部に下方に前記収納溝２１３貫通して開設する。前記プローブヘッド２１のスライド部２１２の頂面を第１持ち上げ面２１４と定義する。前記収納溝２１３の頂壁は倒立円錐形に設けられる。前記弾性部材２２はスプリングである（図１、図３及び図５参照）。
【００１５】
続いて、前記金属スリーブ２３は上下に貫通した収納筒２３１と、収納筒２３１の周縁上部から内方に突伸して形成された環状のストッパー部２３２と、収納筒２３１の周縁下部の一側から外方に延伸して形成された溶接ピン２３４と、収納筒２３１の周縁下部の他側から外方に突伸して形成された半円状の第２支持部２３３を有する。前記溶接ピン２３４はアーチプレート状に設けられ、２つの長い側辺を有することで、プローブ２０と絶縁本体１０が一体成型された安定性を強化する。前記収納筒２３１の中央部は上下に貫通した開孔部２３５を開設する。前記ストッパー部２３２の底面を第２持ち上げ面２３６と定義する。前記第１持ち上げ面２１４と第２持ち上げ面２３６は適合する。前記ベース２４は円盤状の底板２４１と、底板２４１の上表面の中央部から上方に突伸して形成された固定ピン２４２（図１、図３及び図５参照）を有する。
【００１６】
次は、本考案のプローブコネクタ１００を組み立てる際、前記プローブヘッド２１は上下にスライド可能に金属スリーブ２３内に装設される。前記弾性部材２２はプローブヘッド２１と金属スリーブ２３内に弾性的に収納される。前記ベース２４は金属スリーブ２３の底部に固設され、弾性部材２２をプローブヘッド２１とベース２４の間に弾性的に位置限定する。具体的には、前記プローブヘッド２１は金属スリーブ２３の開孔部２３５から金属スリーブ２３の収納筒２３１内に装設される。このうち、前記接触部２１１は収納筒２３１外に伸出し、前記スライド部２１２は金属スリーブ２３の収納筒２３１内にスライドして収納される（図１から図５参照）。
【００１７】
なお、前記弾性部材２２はプローブヘッド２１の収納溝２１３と金属スリーブ２３の収納筒２３１内に弾性的に収納され、弾性部材２２の上端は収納溝２１３の頂壁に当接する。前記ベース２４は金属スリーブ２３の収納筒２３の底部に固設する。前記弾性部材２２は固定ピン２４２上に嵌設され、弾性部材２２の下端はベース２４の底板２４１の上表面に当接して、弾性部材２２をベース２４の底板２４１の上表面とプローブヘッド２１の収納溝２１３の頂壁の間に弾性的に位置限定をする。弾性部材２２が圧縮されて変形する容量をコントロールするために、前記固定ピン２４２は弾性部材２２を中心に位置決めする。このため、前記プローブヘッド２１のスライド部２１２は収納筒２３１の内側の溝壁に沿って上下にスライド可能である。前記プローブヘッド２１は収納筒２３１内で弾性可能に上下に伸縮する。弾性部材２２がフリーな状態にある時、前記プローブヘッド２１のスライド部２１２はストッパー部２３２で歯止めがかかる（図１から図５参照）。
【００１８】
前記複数のプローブ２０は絶縁本体１０上に一体成型されて、プローブ２０をプローブコネクタ１００上に安定させて設ける。具体的には、前記金属スリーブ２３の収納筒２３１は固定台座１３内に固定される。前記プローブヘッド２１の接触部２１１は固定台座１３上に露出する。前記金属スリーブ２３の溶接ピン２３４はジャック１３３から絶縁本体１０の固定台座１３に伸出し、前記溶接ピン２３４は前記回路基板上に安定させて溶接可能なことから、本考案のプローブコネクタ１００を該回路基板上に安定させて溶接することができる（図１から図５参照）。
【００１９】
さらに、前記プローブコネクタ１００が表面貼装工程を実行する際、前記絶縁本体１０とプローブ２０上に逆流キャップ３０が装設される。前記逆流キャップ３０は円盤状基板３１を有する。前記基板３１の周縁に間隔を空けて設けられた複数の貫通孔３２を開設する。前記基板３１はそれぞれ下方に間隔を空けて設けられた複数の固定用リング３３を突伸して形成する。前記固定用リング３３はそれぞれ貫通孔３２に対応して連通する。前記固定用リング３３の内周縁の底部に上方に固定溝３４を凹設する。前記固定用リング３３の外側と内側はそれぞれ下方に貫通孔３２と連通する第２溝部３５を貫通して開設する（図１から図７参照）。
【００２０】
また、前記固定用リング３３は固定台座１３上に把持され、プローブヘッド２１の接触部２１１を固定用リング３３内に収納する。具体的には、前記固定台座１３の上端は固定溝３４内に把持される。前記固定用リング３３は当接部１３２上に当接する。前記固定台座１３の外周縁の両側のリブ１３４は固定用リング３３の内壁の両側に当接する。前記固定台座１３の基盤部１３１の外周縁先端のリブ１３４は前記固定用リング３３先端の第２溝部３５内に位置を限定して、逆流キャップ３０の回転を防止する。前記固定台座１３の外周縁先端のリブ１３４は第２溝部３５の両側の壁の間に位置し、該固定台座１３の外に伸出した溶接ピン２３４と対応する。このように、本考案のプローブコネクタ１００は逆流キャップ３０によりスムーズに表面貼装工程を実行できる（図１から図７参照）と云うことが分かる。
【００２１】
以上のとおり、本考案のプローブコネクタ１００は前記プローブ２０を絶縁本体１０上に一体成型することにより、プローブ２０をプローブコネクタ１００上に安定して設けると共に、前記プローブ２０の溶接ピン２３４は前記絶縁本体１０の固定台座１３の外に伸出し、前記プローブ２０の溶接ピン２３４がアーチプレート状に設けられることで、溶接ピン２３４と回路基板との接触面積が増大し、本考案のプローブコネクタ１００は該回路基板上に安定して溶接可能となり、本考案プローブコネクタ１００の電気的性能の安定性が確保される。
【００２２】
なお、本考案は前述した実施の形態のみに限定されるものではなく、本考案の要旨を逸脱しない範囲において種々の変更が可能であることは勿論である。
【符号の説明】
【００２３】
１００  プローブコネクタ          
１０    絶縁本体  
１１    基体                    
１２    第１支持部    
１３    固定台座                  
１３１  基盤部
１３２  当接部                  
１３３  ジャック  
１３４  リブ                    
１３５  対向部    
１３６  第１溝部                
２０    プローブ    
２１    プローブヘッド                    
２１１  接触部
２１２  スライド部          
２１３  収納溝
２１４  第１持ち上げ面              
２２    弾性部材
２３    金属スリーブ              
２３１  収納筒
２３２  ストッパー部                
２３３  第２支持部
２３４  溶接ピン                  
２３５  開孔部
２３６  第２持ち上げ面              
２４    ベース
２４１  底板                
２４２  固定ピン  
３０    逆流キャップ                
３１    基板
３２    貫通孔                    
３３    固定用リング
３４    固定溝                  
３５    第２溝部
【図１】
0003196772.tif 000003
【図２】
0003196772.tif 000004
【図３】
0003196772.tif 000005
【図４】
0003196772.tif 000006
【図５】
0003196772.tif 000007
【図６】
0003196772.tif 000008
【図７】
0003196772.tif 000009